(57)【要約】【課題】  使用性が好ましく、低コストの光ファイバー接続装置を提供する。【解決手段】  本体７１と、その本体７１に包まれるＵ字形カバー７２とを有し、本体７１には、嵌挿ベース７１１と、挿入方向に沿って嵌挿ベース７１１の左右両内側壁部７１２に設けられる内方ガイド・スリット７１２１と、嵌挿ベース７１１の左右両外側壁部７１３の上下端部に沿って設けられる係合槽７１３１とが形成され、Ｕ字形カバー７２には、挿入口部７２１と、その挿入口部７２１に連接される左右両側板同士７２２とを有し、その中、挿入口部７２１には、左右両内側に位置する、前記挿入方向に沿う外方ガイド・スリット７２１１と、挿入口部７２１の上縁部より下向きに延伸する、一体成形される防塵蓋７２３とを備える。【選択図】      図６Ａ
2005195896.tif 000002
【特許請求の範囲】
【請求項１】
プラグと、前記プラグの左右両対向しあう側に設けられる半円形帯状突起部と、前記プラグの上下両面に突出配置される上下係止部材と、前記プラグの先端部に設けられる嵌挿部とを備えると共に、光ファイバー・プラグに応用される光ファイバー接続装置において、
嵌挿ベースと、挿入方向に沿って前記嵌挿ベースの左右両内方側壁部に設けられると共に、それぞれ前記半円形帯状突起部に対応する内方ガイド・スリット同士と、前記嵌挿ベースの左右両側壁部の上下端縁部に沿って配置される係合槽とを有する、本体と、
挿入口部と、前記挿入口部を連接する左右両側板同士を有し、その中、前記挿入口部には左右両内側における挿入方向に沿って配置されると共に、それぞれ前記半円形帯状突起部に対応する外方ガイド・スリットと、前記挿入口部の上縁部より下向きに延伸する一体成形される防塵蓋とを備え、前記二つの側板同士が上下端縁部に沿って前記係合槽に緊密的に合せられる当接面を有し、且つ前記外方ガイド・スリットが高さの差を有しないように前記内方ガイド・スリットと連接するように設定される、前記本体を覆うＵ字形カバーとを備えることを特徴とする光ファイバー接続装置。
【請求項２】
前記Ｕ字形カバーが弾性材料によって一体成形されるものであることを特徴とする請求項１に記載の光ファイバー接続装置。
【請求項３】
前記Ｕ字形カバーの前記挿入口部の上縁部に凹槽が凹んで形成されており、その凹槽が下向きに前記防塵蓋の所定の距離の箇所に延伸して深さが同じである凹面を形成することを特徴とする請求項１に記載の光ファイバー接続装置。
【請求項４】
前記Ｕ字形カバーの前記挿入口部は前記下方係止部材に対向する底縁部に内方へ向いて所定の長さを有する滑走槽が形成されることを特徴とする請求項１に記載の光ファイバー接続装置。
【請求項５】
前記滑走槽の後端部には案内斜面が形成されることを特徴とする請求項４に記載の光ファイバー接続装置。
【請求項６】
前記Ｕ字形カバーの前記防塵蓋の裏表面が前記挿入口部に連接され、その上縁部に凹み部が形成され、それによって防塵蓋を後向きに旋回可能に設定することを特徴とする請求項１に記載の光ファイバー接続装置。
【請求項７】
前記Ｕ字形カバーの前記防塵蓋の前表面の前記挿入口部に連接するその上縁部にさらに突出円弧部が形成され、それによって防塵蓋の前記光ファイバー・プラグより抜き出される後の弾性回復力を調整し、前記突出円弧部のサイズとその設置比例とを変更するによって前記復帰弾性力を調整することを特徴とする請求項１に記載の光ファイバー接続装置。
【請求項８】
前記本体の前記二つの外方側壁部のそれぞれの尾端部に二つの係止塊が形成され、且つ前記Ｕ字形カバーには前記側板同士の尾端部に逆さまのＴ字形部が形成され、それらの逆さまのＴ字形部が前記二つの係止塊同士に嵌め合わされることを特徴とする請求項１に記載の光ファイバー接続装置。
【請求項９】
前記逆さまのＴ字形部には、ヘッド部と、そのヘッド部の左右両端部と前側に配置される案内斜面とを有し、それらによって前記逆さまのＴ字形部を順調に前記係合槽内に置いて挿入方向に沿って移動することに利し、前記Ｕ字形カバーがそれらの作用によって前記本体に覆われることを特徴とする請求項８に記載の光ファイバー接続装置。
【請求項１０】
前記二つの係止塊同士が挿入方向に沿って前が狭く後が広くなるように形成される楔形に形成され、それらによって前記逆さまのＴ字形部を前記二つの係止塊同士に滑走経過させると共に、係止させることを特徴とする請求項８に記載の光ファイバー接続装置。
【請求項１１】
光ファイバー・プラグに応用される光ファイバー接続装置において、
本体と、
前記本体を覆うＵ字形カバーとを備えており、
その中、前記本体はその左右両側の上下端縁部にそれぞれ係合槽が形成され、前記Ｕ字形カバーには挿入口部とその挿入口部に連接される左右両側板とを有し、前記挿入口部にはその上縁部より下向きに延伸する一体成形される防塵蓋を有し、前記二つの側板同士が上下端縁部に沿って前記係合槽に緊密的に合せられる当接面を有することを特徴とする光ファイバー接続装置。
【請求項１２】
前記Ｕ字形カバーが弾性材料によって一体成形されるものであることを特徴とする請求項１１に記載の光ファイバー接続装置。
【請求項１３】
前記Ｕ字形カバーの前記挿入口部の上縁部に凹槽が凹んで形成されており、その凹槽が下向きに前記防塵蓋の所定の距離の箇所に延伸して深さが同じである凹面を形成することを特徴とする請求項１１に記載の光ファイバー接続装置。
【請求項１４】
前記Ｕ字形カバーの前記挿入口部は前記下方係止部材に対向する底縁部に内方へ向いて所定の長さを有する滑走槽が形成されることを特徴とする請求項１１に記載の光ファイバー接続装置。
【請求項１５】
前記滑走槽の後端部には案内斜面が形成されることを特徴とする請求項１４に記載の光ファイバー接続装置。
【請求項１６】
前記Ｕ字形カバーの前記防塵蓋の裏表面が前記挿入口部に連接され、その上縁部に凹み部が形成され、それによって防塵蓋を後向きに旋回可能に設定することを特徴とする請求項１１に記載の光ファイバー接続装置。
【請求項１７】
前記Ｕ字形カバーの前記防塵蓋の前表面の前記挿入口部に連接するその上縁部にさらに突出円弧部が形成され、それによって防塵蓋の前記光ファイバー・プラグより抜き出される後の弾性回復力を調整し、前記突出円弧部のサイズとその設置比例とを変更するによって前記復帰弾性力を調整することを特徴とする請求項１１に記載の光ファイバー接続装置。
【請求項１８】
前記本体の前記二つの外方側壁部のそれぞれの尾端部に二つの係止塊が形成され、且つ前記Ｕ字形カバーには前記側板同士の尾端部に逆さまのＴ字形部が形成され、それらの逆さまのＴ字形部が前記二つの係止塊同士に嵌め合わされることを特徴とする請求項１１に記載の光ファイバー接続装置。
【請求項１９】
前記逆さまのＴ字形部には、ヘッド部と、そのヘッド部の左右両端部と前側に配置される案内斜面とを有し、それらによって前記逆さまのＴ字形部を順調に前記係合槽内に置いて挿入方向に沿って移動することに利し、前記Ｕ字形カバーがそれらの作用によって前記本体に覆われることを特徴とする請求項１８に記載の光ファイバー接続装置。
【請求項２０】
前記二つの係止塊同士が挿入方向に沿って前が狭く後が広くなるように形成される楔形に形成され、それらによって前記逆さまのＴ字形部を前記二つの係止塊同士に滑走経過させると共に、係止させることを特徴とする請求項１８に記載の光ファイバー接続装置。
【発明の詳細な説明】
【技術分野】
【０００１】
本発明は、光ファイバー接続装置に係わり、特に光情報を光ファイバーにカップリングするための光ファイバー接続装置に関するものである。
【背景技術】
【０００２】
光ファイバー通信の日進月歩の発展にしたがって、光ファイバー接続装置のニーズも次々へと増加してゆき、光ファイバー接続装置の内部に、普段、光素子が取り付けられ、埃や異物などによってその光素子の光学性能を影響することを避けるために、且つ光素子の生成する光信号の直接に出射することによる操作者の目の損傷を避けるために、前記光ファイバー接続装置の入口の封止を合せて実施する必要がある。
【０００３】
図１に示すのは、第一の従来技術の光ファイバー接続装置１ａを示す説明図であり、その光ファイバー接続装置１ａにおいては、防塵プラグ１２ａの構造を使用することによって前記の目的を図り、それは、接続装置本体１１ａが他の光学装置と接続する前に、防塵プラグ１２ａを接続装置本体１１ａの光ファイバー挿入孔に取り付けることによって前記光ファイバー挿入孔を封止する作用を実現するものであり、埃や異物の進入などを防止できる。しかしながら、前記の第一の従来技術の主張する防塵プラグ１２ａは、取っ手を設けて抜き出しに利するようにしなければならず、その防塵プラグ１２ａの形状から論ずる場合、その取っ手が突出するので、その外形が過大するようになってしまう。また、光ファイバー・ケーブルなどの光学装置と接続する場合に、防塵プラグ１２ａを取り外さなければならない。そのため、接続装置本体１１ａと他の光学装置と接続する場合、防塵プラグ１２ａを気をつけて取り外して保管する必要があり、再度の取り付けに利するようにしなければならず、もし慎重に保管場所を選択しない場合、遺失または子供が誤って飲んでしまうなどの課題を生じることがある。他に、光信号発信または受信用の半導体素子の電子装置を搭載するテスト手数において、まず防塵プラグ１２ａを取り外す場合こそ、チャックが実行でき、且つその後に改めてその防塵プラグ１２ａを取り付ける場合こそ出荷できる。そのため、防塵プラグ１２ａは実施の利用の場合では、取り外しの過程が煩雑になるだけではなく、組立及びテストのコストを向上する場合さえある。
【０００４】
図２Ａと図２Ｂに示すのは、第二種の従来技術のサイド・オープン・タイプ光ファイバー接続装置２ａを示す説明図であり、それは接続装置本体２１ａには保持用スプリング２３ａを有し、スプリング２３ａが遮蔽板２４ａの背面部と接続装置本体２１ａの内側面を当接し、遮蔽板２４ａには旋回軸としての軸部２２ａが取り付けられており、他の固定フレームによって接続装置本体２１ａに固着され、光ファイバー・プラグ６ａの挿入と抜き出しにしたがって、自動的に旋回打開または閉鎖する。即ち、接続装置本体１１ａが他の光学装置と接続しない場合、遮蔽板２４ａが光ファイバー挿入孔を閉鎖し、光ファイバー・プラグ６ａを挿入しようとする場合、光ファイバー・プラグ６ａが遮蔽板２４ａを差し上げ、且つ軸部２２ａを旋回軸とすると共に、内方へ向いて接続装置本体２１ａの前記内側面へ旋回後に、遮蔽板２４ａを打開する。光ファイバー・プラグ６ａを抜き出そうとする場合、スプリング２３ａの回復力（弾性力）を利用して遮蔽板２４ａを自動的に元の状態に復帰させるように閉鎖する。
【０００５】
一般的に言う場合、光ファイバー・プラグ６ａはその外縁部に案内用の一対の半円形の帯状の突起部を配置し、それらを前記光ファイバー挿入孔内におけるガイド・スリットに合せて、光ファイバー・プラグ６ａを順調に挿入することを案内する。しかしながら、前記第二種の従来技術の光ファイバー接続装置２ａが遮蔽板２４ａを利用してサイド・オープン・タイプ（幅方向オープン・タイプ）の打開をし、且つ遮蔽板２４ａに前記ガイド・スリットを設けると共に、前記片側の前記ガイド・スリットを封止する突起部を設け、光ファイバー・プラグ６ａの挿入時に、遮蔽板２４ａのオープンにしたがって前記光ファイバー挿入孔の内側に収納され、遮蔽板２４ａを前記片側の前記ガイド・スリットを形成させ、それによって光ファイバー・プラグ６ａを順調に前記光ファイバー挿入孔内に差し込ませる。しかしながら、遮蔽板２４ａが微小の軸部２２ａを前記固定フレームに付着されてから、固定フレームと接続装置本体２１ａとスプリング２３ａと連結するので、遮蔽板２４ａが形成する前記ガイド・スリットの光ファイバー・プラグ６ａに対する固定性を言う場合、その自身の活動性とそれぞれの部材を連結後の公差とが増加するにしたがって低下されてしまうことがあり、他に、前記第二種の従来技術の光ファイバー接続装置２ａの前記の光ファイバー挿入孔内に有する緩衝片２５ａが単に光ファイバー・プラグ６ａの片側に対し深さを制限する効果を生成でき、且つ遮蔽板２４ａが生成する片側の前記ガイド・スリットの固定性が劣っているため、緩衝片２５ａの制限性能を低下させる場合がある。
【０００６】
図３Ａと図３Ｂに示すのは、第三種の従来技術のトップ・オープン・タイプ光ファイバー接続装置３ａであり、それは、接続装置本体３１ａに旋回軸としての軸部３２ａを取り付け、且つ一対の支持フレームを有するスプリング３３ａを取り付け、スプリング３３ａのそれぞれの正面部にすべて遮蔽板３４ａの背面部と接続装置本体３１ａの内側上方部に連結され、光ファイバー・プラグ６ａの挿入または抜き出すことにしたがって、遮蔽板３４ａが自動的に旋回オープンし、または閉鎖する。言い換えれば、非使用時に、遮蔽板３４ａが接続装置本体３１ａの内側面部に当接する方式によって前記光ファイバー挿入孔を封止し、光ファイバー・プラグ６ａを差し込もうとする場合、光ファイバー・プラグ６ａが遮蔽板３４ａを差し支え、且つ軸部３２ａを旋回軸として接続装置本体３１ａの内方へ向いて旋回してから遮蔽板３４ａを打開する。また、光ファイバー・プラグ６ａを抜き出してから、スプリング３３ａの回復力（弾性力）によって遮蔽板３４ａを自動的に元の状態に復帰させるように閉鎖する。
【０００７】
しかしながら、光ファイバー・プラグ６ａを差し込もうとする場合に、軸部３２ａに対する負荷の量を強化する虞があり、それは軸部３２ａを損害する虞があり、その軸部３２ａを前記の負担により損害されることを避けるために、硬質の金属製の穏やかな材料によって軸部３２ａを作る必要があるので、材料コストを増す虞があり、金属製の軸部３２ａが貫通の方式によってスプリング３３ａを取り付け、且つ遮蔽板３４ａに嵌め込む必要があり、そうする場合こそスプリング３３ａを付設する前記遮蔽板組立部材を完成でき、そのため、組立てることには時間と手数とがかなりかかるようになる。
【０００８】
図４に示すのは、第四種の従来技術のトップ・オープン・タイプ光ファイバー接続装置４ａであり、それは接続装置本体４１ａに板状バネ４３ａと軸部４２ａを有する遮蔽板４４ａを取り付けるものであり、前記第三種の従来技術の光ファイバー接続装置３ａと同じように、光ファイバー・プラグ６ａの挿入または抜き出しにしたがって、遮蔽板４４ａが自動的に上向きに旋回打開または閉鎖する。しかしながら、板状バネ４３ａ（第三種の従来技術と同様）も光ファイバー・プラグ６ａの挿入にしたがって軸部４２ａに対する負荷の量を増すと共に、その使用寿命を減少してしまう。
【０００９】
図５に示すのは、第五種の従来技術のボトム・オープン・タイプの光ファイバー接続装置５ａのものであり、それは接続装置本体５１ａに、弾性物体を使用して弾性遮蔽板５４ａとし、その弾性遮蔽板５４ａ自身の弾性力によって自動的に元の状態に復帰する閉鎖回復力を生成し、光ファイバー・プラグ６ａの挿入または抜き出しにしたがって、弾性遮蔽板５４ａが内方へオープンする方式によって自動的に旋回してからオープンまたは閉鎖する。光ファイバー接続装置５ａが弾性遮蔽板５４ａの面積を増すことによって前記ガイド・スリットを封止し、そのガイド・スリットが前記光ファイバー挿入孔の後方の方向へ向いて延伸するように形成できず、単に前記光ファイバー挿入孔の入口の近傍で形成でき、光ファイバー・プラグ６ａが前記ガイド・スリットの案内を受けて安定に挿入することが出来なくなってしまい、且つ前記光素子と良好的な光結合を実行できなくなってしまう。その中、弾性遮蔽板５４ａが光ファイバー・プラグ６ａの進入にしたがって折り曲げられなくなり、それは折り曲げ箇所に容易に弾性疲労を生じ、閉鎖状態に戻れなくなってその効果性を失ってしまうことがある。
【００１０】
また、それと共に、前記の第三種の従来技術と前記第四種の従来技術と前記第五種の従来技術とがすべて光ファイバー・プラグ６ａの差込深さを制限できず、それは光ファイバーの端面部と前記光素子の表面部とが接触摩擦を生じることを招く虞があり、削りによってそのトランスミットしようとする光信号の強度を薄弱化させる虞があり、システムが信号を誤って判別することを招く虞がある。
【発明の開示】
【発明が解決しようとする課題】
【００１１】
本発明は、旋回オープン式の、分離式の防塵カバーを使用することによって生成される組立ステップが煩雑化することを避けられ、使用とテストに便利的であり、児童が誤って飲んでしまうことを避けられ、構造が簡単で、安定であり、組立とテストの効率を向上でき、且つコストダウンの目的を図れる、光ファイバー接続装置を提供することをその主要な目的とする。
【００１２】
また、本発明は、防塵と防異物侵入の効果を達成できる、光ファイバー接続装置を提供することをその次の目的とする。
【００１３】
また、本発明は、劣化防止設計を採用することによって組立の正確さを確保できる、光ファイバー接続装置を提供することをその第三の目的とする。
【００１４】
また、本発明は、光ファイバー・プラグの差し込み深さを制限できる効果を有する、光ファイバー接続装置を提供することをその第四の目的とする。
【００１５】
また、本発明は、光ファイバー接続装置と光信号の発信または受信用の素子との間のマッチング正確性を向上できる効果を有する、光ファイバー接続装置を提供することをその第五の目的とする。
【課題を解決するための手段】
【００１６】
前記のそれぞれの目的を図るために、本発明は、光ファイバー・プラグに応用される光ファイバー接続装置において、主に本体と、その本体を覆うＵ字形カバーとを有し、その中、前記本体は、左右両側の上下端縁部にそれぞれ係合槽が形成され、また、前記Ｕ字形カバーには挿入口部と、その挿入口部に連接される左右両側板同士と、を備えており、前記挿入口部には上縁部より下向きに延伸する一体成形される防塵蓋を有し、また、前記二つの側板同士がそれらの上下端縁部に沿って前記係合槽に緊密的に合せられるように形成される当接面部を有することを特徴とする、光ファイバー接続装置を提供する。
【００１７】
本発明の技術内容とその特徴をさらに解明するために、以下に添付図面を参照しながら本発明の優れた実施の形態を詳細的で具体的に説明するが、それらの説明による具体的な内容は単に本発明を説明することに利するものに過ぎず、本発明の主張範囲を狭義的に制限するものではないことが言うまでもない。
【発明を実施するための最良の形態】
【００１８】
本発明は、一種の光ファイバー接続装置を提供し、Ｕ字形カバーによって本体を包み、その本体の左右両側の上下端縁部における係合槽によって前記Ｕ字形カバーの左右両側板同士を係合し、且つ前記Ｕ字形カバーにはその上縁部より下向きに一体成形するように延伸される防塵蓋用の挿入口部が形成され、且つ前記両側板同士が上下端縁部に沿って前記係合槽に緊密的に合せられる当接面を有し、これらによって、前記本体と前記カバーとが防塵蓋を有する光ファイバー接続装置を組立てられ、その構造が簡単で、且つ安定で、使用に便利的で、且つテストにも便利的であり、組立とテストの効率を向上でき、且つコストを降下でき、且つ分離式の防塵蓋の生成する組立手数が煩雑化することを避けられると共に、児童が誤って飲んでしまうことも避けられる。
【００１９】
図６Ａ乃至図６Ｃに示すように、本発明の提供する光ファイバー接続装置７には、主に本体７１と、その本体７１に包まれるＵ字形カバー７２とを有する。
【００２０】
図７Ａ乃至図７Ｃに示すように、本体７１には、嵌挿ベース７１１と、挿入方向に沿って嵌挿ベース７１１の左右両内側壁部７１２に設けられる内方ガイド・スリット７１２１と、嵌挿ベース７１１の左右両外側壁部７１３の上下端部に沿って設けられる係合槽７１３１とが形成されている。
【００２１】
図８Ａ乃至図８Ｃに示すように、Ｕ字形カバー７２には、挿入口部７２１と、その挿入口部７２１に連接される左右両側板同士７２２とを有し、その中、挿入口部７２１には、左右両内側に位置する、前記挿入方向に沿う外方ガイド・スリット７２１１と、挿入口部７２１の上縁部より下向きに延伸する、一体成形される防塵蓋７２３とを備えており、両側板同士７２２が前記上下端縁部に沿う、係合槽７１３１に緊密的に合せられる当接面７２２１を有し、且つ外方ガイド・スリット７２１１は高さの差を有しないまま、内方ガイド・スリット７１２１と連接される。
【００２２】
図１０に示すように、Ｕ字形カバー７２が本体７１を覆い、本体７１における係合槽７１３１がＵ字形カバー７２の両側板同士７２２の当接面同士７２２１に緊密的に合せられ、Ｕ字形カバー７２の構造を簡素化する共に、本体７１に安定に密着する目的を図れる。
【００２３】
また、図６Ｃと図７Ｃと図８Ｃと図１０に示すように、本体７１の両外側壁部７１３にはそれぞれそれらの尾端部に二つの係止塊同士７１４が設けられ、Ｕ字形カバー７２の側板同士７２２にはさらにその尾端部に逆さまのＴ字形部７２７が形成され、それらによって二つの係止塊同士７１４に対応するように係合される。
【００２４】
また、図６Ｃと図７Ｂと図７Ｃと図８Ｂと図８Ｃと図１０に示すように、逆さまのＴ字形部７２７には、ヘッド部７２７１と、そのヘッド部７２７１の左右両端部とその前側にすべて案内斜面７２７２、７２７３が形成され、それらによって、逆さまのＴ字形部７２７が順調に係合槽７１３１内において前記挿入方向に沿って移動し、Ｕ字形カバー７２が本体７１に覆うようになり、二つの係止塊同士７１４が挿入方向に沿って前方が狭く後方が広くなるような楔形に形成され、そのため、逆さまのＴ字形部７２７が二つの係止塊同士７１４を滑り通ると共に係合をする。
【００２５】
図１１Ａに示すように、本発明の提供する光ファイバー接続装置７が光ファイバー・プラグ６に応用されるものであり、光ファイバー・プラグ６には、プラグ６１と、そのプラグ６１の左右両対向しあう側に設けられる半円形の帯状の突起部（図示せず）と、プラグ６１の前端部に設けられる嵌挿部６２と、プラグ６１に突出形成される上下両表面における上下係止部材６３，６４とを有する。
【００２６】
図１１Ｂに示すように、本体７１における内方ガイド・スリット７１２１とＵ字形カバー７２の外方ガイド・スリット７２１１とがすべて光ファイバー・プラグ６の前記半円形の帯状の突起部に対応し、それらによって光ファイバー・プラグ６の挿入を案内する。
【００２７】
図８Ｃに示すように、Ｕ字形カバー７２の防塵蓋７２３の裏表面が挿入口部７２１に連接されると共に、その上縁部に凹み部７２３１が形成され、それらによって防塵蓋７２３と挿入口部７２１との連接箇所に余裕のあるスペースを保留し、防塵蓋７２３が後向きに旋回可能に設定する。
【００２８】
図８Ａに示すように、Ｕ字形カバー７２の挿入口部７２１には、その上縁部に凹槽７２４が凹んで形成しており、凹槽７２４が下向きに防塵蓋７２３の所定の距離ｄまで延伸してから、深さが同じような凹面７２５が形成され、凹槽７２４が光ファイバー・プラグ６における上係止部材６３に合せて導入され（図１１Ｂ参照）、上係止部材６３が光ファイバー・プラグ６にしたがって凹槽７２４に導入され、挿入方向に沿って凹面７２５まで案内され（図１１Ｃ参照）、そのため、深さが凹槽７２４と同じように設定される凹面７２５が凹槽７２４に接続後の続ける案内する機能を提供し、所定の距離ｄが上係止部材６３の挿入する深さを決定及び制御できる。
【００２９】
図８Ａに示すように、Ｕ字形カバー７２の挿入口部７２１がその底縁部の左右両端部にそれぞれ二つの滑走面同士７２８が形成され、それらによってプラグ６１の底縁部の左右両端部におけるガイド面（図示しない）を合せて使用し、滑走面７２８によって嵌挿部６２の前記底縁部を制限し、それによってＵ字形カバー７２が上下方の逆方向への挿入することを防止できる誤り操作防止構造を形成する。
【００３０】
図８Ｃに示すように、Ｕ字形カバー７２の挿入口部７２１が下係止部材６４に対応し、その底縁部に内方へ向いて所定の長さｂを有する滑走槽７２６が形成され、滑走槽７２６がその後端部に案内斜面７２６１が形成され、光ファイバー・プラグ６が光ファイバー接続装置７に導入される場合に、下係止部材６４が順調に案内斜面７２６を滑走経過でき、挿入口部７２１の前記底縁部に係合できる（図１１Ｃ参照）。
【００３１】
図９Ａと図９Ｂに示すように、Ｕ字形カバー７２が弾性材料によって一体成形されて製造されたものであり、防塵蓋７２３の前表面が挿入口部７２１の前記上縁部に形成される突出円弧部７２３１に連接され、その突出円弧部７２３１のサイズとその配置比例を調整することによってその突出円弧部７２３１の弾力性を調整でき、その調整によって防塵蓋７２３に光ファイバー・プラグ６が抜き出される後の弾性回復力を付与できる。
【００３２】
本発明は、防塵蓋７２３によって挿入口部７２１を遮蔽することにより防塵と防異物侵入の効果を実現できる。
【００３３】
本発明の提供する凹面７２５と滑走槽７２６とが一緒に光ファイバー・プラグ６の上下係止部材６３，６４の差込深さを制限する。
【００３４】
本発明の提供する内方ガイド・スリット７１２１と外方ガイド・スリット７２１１とが一緒に光ファイバー・プラグ６の前記半円形の帯状の突起部を案内し、凹槽７２４と滑走槽７２６の配置が同様に光ファイバー・プラグ６における上下方係止部材６３，６４を案内し、光ファイバー・プラグ６と光ファイバー接続装置７内に設けられる光信号の受信または発信素子のマッチングすることを確保できる。
【００３５】
本発明は、相互に合せられる係合槽７１３１と二つの側板同士７２２の前記当接面同士７２２１と、前記相互に嵌め合う逆さまのＴ字形部７２７と二つの係止塊同士７１４とを提供することによってそれらの組立の密合性を確保できる。
【００３６】
本発明は、相互に制限される挿入口部７２１を提供することと、前滑走面７２８によって嵌挿部６２の前記底縁部を制限することとによって、Ｕ字形カバー７２が上下方へ逆方向に挿入されることを防止できる。
【産業上の利用可能性】
【００３７】
本発明による場合、組立ステップが煩雑化することを避けられ、使用とテストに便利であり、児童が誤って飲んでしまうことを避けられ、構造が簡単で、安定であり、組立とテストの効率を向上でき、且つコストダウンの目的を図れる光ファイバー接続装置を提供できる。
【００３８】
前記に説明したように、本発明は確かに予期の目的と効果を達成できるが、前記に掲げた技術手段は単に本発明の好適な実施の形態に過ぎず、いずれの本発明の要旨と特徴に基づいて実施されるすべての修飾と変化とはすべて本発明の主張範囲内に納入されるべきことは言うまでもない。
【図面の簡単な説明】
【００３９】
【図１】第一種の従来の光ファイバー接続装置を示す応用説明図である。
【図２Ａ】第二種の従来の光ファイバー接続装置を示す説明図である。
【図２Ｂ】第二種の従来の光ファイバー接続装置を示す説明図である。
【図３Ａ】第三種の従来の光ファイバー接続装置を示す説明図である。
【図３Ｂ】第三種の従来の光ファイバー接続装置を示す説明図である。
【図４】第四種の従来の光ファイバー接続装置を示す説明図である。
【図５】第五種の従来の光ファイバー接続装置を示す説明図である。
【図６Ａ】本発明の光ファイバー接続装置を示す正面図である。
【図６Ｂ】本発明の光ファイバー接続装置を示す平面図である。
【図６Ｃ】本発明の光ファイバー接続装置を示す側面図である。
【図７Ａ】本発明の光ファイバー接続装置の本体を示す正面図である。
【図７Ｂ】本発明の光ファイバー接続装置の本体を示す平面図である。
【図７Ｃ】本発明の光ファイバー接続装置の本体を示す側面図である。
【図８Ａ】本発明の光ファイバー接続装置のカバーを示す正面図である。
【図８Ｂ】本発明の光ファイバー接続装置のカバーを示す平面図である。
【図８Ｃ】本発明の光ファイバー接続装置のカバーを示す側面図である。
【図９Ａ】本発明のカバーの他の実施の形態を示す正面図である。
【図９Ｂ】本発明のカバーの他の実施の形態を示す側面図である。
【図１０】本発明の本体とカバーとの組立様子を示す説明図である。
【図１１Ａ】本発明の光ファイバー接続装置の未接続の様子を示す説明図である。
【図１１Ｂ】本発明の光ファイバー接続装置の接続中の様子を示す説明図である。
【図１１Ｃ】本発明の光ファイバー接続装置の接続完了後の様子を示す説明図である。
【符号の説明】
【００４０】
６        光ファイバー・プラグ
７        本発明の光ファイバー接続装置
６１      プラグ
６２      嵌挿部
６３      上方係止部材
６４      下方係止部材
７１      本体
７２      カバー
７１１    嵌挿ベース
７１２    内方側壁部
７１３    外方側壁部
７１４    係止塊
７２１    挿入口部
７２２    側板
７２３    防塵蓋
７２４    凹槽
７２５    凹面
７２６    滑走槽
７２７    逆さまのＴ字形部
７２８    滑走面
７１２１  内方ガイド・スリット
７１３１  係合槽
７２１１  外方ガイド・スリット
７２２１  当接面
７２３１  凹み部
７２７１  ヘッド部
７２７２，７２７３  案内斜面
【図１】
2005195896.tif 000003
【図２Ａ】
2005195896.tif 000004
【図２Ｂ】
2005195896.tif 000005
【図３Ａ】
2005195896.tif 000006
【図３Ｂ】
2005195896.tif 000007
【図４】
2005195896.tif 000008
【図５】
2005195896.tif 000009
【図６Ａ】
2005195896.tif 000010
【図６Ｂ】
2005195896.tif 000011
【図６Ｃ】
2005195896.tif 000012
【図７Ａ】
2005195896.tif 000013
【図７Ｂ】
2005195896.tif 000014
【図７Ｃ】
2005195896.tif 000015
【図８Ａ】
2005195896.tif 000016
【図８Ｂ】
2005195896.tif 000017
【図８Ｃ】
2005195896.tif 000018
【図９Ａ】
2005195896.tif 000019
【図９Ｂ】
2005195896.tif 000020
【図１０】
2005195896.tif 000021
【図１１Ａ】
2005195896.tif 000022
【図１１Ｂ】
2005195896.tif 000023
【図１１Ｃ】
2005195896.tif 000024